(57)【要約】  本発明は、研削または切削機械用の駆動装置を提供する。駆動装置は、少なくとも１つの駆動軸を駆動可能であるように受け入れる駆動継手を有する本体を備えている。駆動装置は、本体を土の研削または切削車両の連結アーム等の機械の一部に取り付けるための取り付け台も備える。駆動継手は、上記駆動軸の一部と嵌合するように構成される。
2008506870.tif 000002
【特許請求の範囲】
【請求項１】
少なくとも１つの駆動軸を駆動可能であるように受け入れる駆動継手を有する本体と、
前記本体を前記研削または切削機械の一部に取り付けるための取り付け台と
を備え、前記駆動継手は前記駆動軸の一部と嵌合するように構成されることを特徴とする研削または切削機械用の駆動装置。
【請求項２】
前記駆動継手は、前記駆動軸の前記一部を受け入れる凹部を有する請求項１に記載の駆動装置。
【請求項３】
前記駆動継手は、前記駆動軸を締め付け固定するように構成される締め付け機構を備える請求項１または２に記載の駆動装置。
【請求項４】
前記駆動継手は、前記駆動軸が固定される位置を調整可能であるように構成される請求項１〜３のいずれか一項に記載の駆動装置。
【請求項５】
前記凹部は、２つの孔を有する細長い中空部分である請求項２または請求項２に従属する場合の請求項３または４に記載の駆動装置。
【請求項６】
前記中空部分は前記本体内に延びる請求項５に記載の駆動装置。
【請求項７】
１つの駆動軸が、使用時に、該駆動軸の両端で１つまたは複数の切削刃または研削ドラムを担持することができるように前記凹部によって受け入れられる請求項６に記載の駆動装置。
【請求項８】
前記駆動軸を備える請求項１〜７のいずれか一項に記載の駆動装置。
【請求項９】
第１の駆動軸及び少なくとも１つの第２の駆動軸を備え、前記第１の駆動軸は、該第１の駆動軸の軸線に沿って延びる中空軸部分を有し、該中空軸部分は、前記第１の駆動軸内に固定するために前記第２の駆動軸を受け入れるように構成される請求項５に従属する場合の請求項８に記載の駆動装置。
【請求項１０】
前記第１の駆動軸及び前記第２の駆動軸は、端部で少なくとも１つの刃またはドラムを担持するように構成される請求項９に記載の駆動装置。
【請求項１１】
前記第１の駆動軸は、使用時に前記駆動継手の中空部分内に位置決めされ、前記第２の駆動軸は、使用時に前記第１の駆動軸の前記中空軸部分内に位置決めされる請求項１０に記載の駆動装置。
【請求項１２】
前記第１の駆動軸の前記中空軸部分は、２つの端を有し、２つの第２の駆動軸を両端から１つずつ前記第１の駆動軸によって受け入れ可能である請求項１１に記載の駆動装置。
【請求項１３】
１つの第２の駆動軸が、使用時に前記本体の片側から延びる請求項１０〜１２のいずれか一項に記載の駆動装置。
【請求項１４】
さらなる第２の駆動軸が、使用時に前記本体の反対側から延びる請求項１０〜１３のいずれか一項に記載の駆動装置。
【請求項１５】
少なくとも１つの刃またはドラムを担持する１つの駆動軸が、使用時に、前記本体に対する前記刃またはドラムの位置を調整するように構成される前記駆動継手内に固定される請求項８に記載の駆動装置。
【請求項１６】
２つの駆動軸が、使用時に前記駆動継手内に固定され、該駆動継手は、２つの前記刃またはドラムの互いの相対位置を調整するように構成される請求項８に記載の駆動装置。
【請求項１７】
前記駆動継手は、前記本体に嵌合されると共に前記駆動軸を内部に固定することができるように収縮可能な開口を有するシュリンクディスクを備える請求項１〜１６のいずれか一項に記載の駆動装置。
【請求項１８】
１つの駆動軸は、使用時に前記駆動装置の前記凹部内に位置決めされ、前記駆動装置の両側にあるフランジが前記駆動軸をその位置で保持するように構成される請求項５に記載の駆動装置。
【請求項１９】
前記フランジは、切削刃または研削ドラムを担持するように構成される請求項１８に記載の駆動装置。
【請求項２０】
前記本体の前記取り付け台は、土の研削または切削機械の連結アームに取り付けるように構成される請求項１〜１９のいずれか一項に記載の駆動装置。
【請求項２１】
対向する側面を備えると共に双方の側面に１つずつ切削刃または研削ドラムを備えた請求項８に記載の駆動装置。
【請求項２２】
前記本体は、第１の本体であり、第１の側面部分及び反対側の第２の側面部分を有し、前記駆動軸は、前記第１の側面部分から離間させて少なくとも１つの切削刃または研削ドラムを担持するように構成され、前記第２の側面部分で第２の本体を前記第１の本体に取り付け可能であり、前記駆動軸は、前記第２の本体が取り付けられていない場合、少なくとも１つの切削刃または研削ドラムを前記第２の側面部分から離間して担持することができるように構成される請求項１〜２０のいずれか一項に記載の駆動装置。
【請求項２３】
前記第２の本体は、前記研削または切削機械の一部に取り付けるための第２の取り付け台を有する請求項２２に記載の駆動装置。
【請求項２４】
前記第２の本体の前記第２の取り付け台は、土の研削または切削機械の連結アームに取り付けるように構成される請求項２３に記載の駆動装置。
【請求項２５】
前記研削または切削機械は、車両である請求項１〜２４のいずれか一項に記載の駆動装置。
【請求項２６】
請求項１〜２５のいずれか一項に記載の駆動装置を備える研削または切削機械。
【請求項２７】
前記駆動装置は、使用時に、前記研削または切削機械の本体から連結アームが延びる方向を横切る方向に前記駆動軸が延びるように、前記連結アームに取り付けられる請求項２６に記載の研削または切削機械。
【請求項２８】
請求項１〜２５のいずれか一項に記載の駆動装置を用いる岩石または硬質土を切削または研削する方法。
【請求項２９】
少なくとも２つの切れ目を硬質土または岩石に同時に切削し、前記切れ目の少なくとも一部が完成した後で、
前記切れ目の前記完成した部分間の前記硬質岩石または土を除去する
ことを特徴とする所定の長さを有する溝を硬質岩石または土に形成する方法。
【請求項３０】
前記少なくとも２つの切れ目は互いに平行である請求項２９に記載の方法。
【請求項３１】
前記硬質土または岩石の少なくとも一部が、前記切れ目の切削中に該切れ目の前記完成した部分間から除去される請求項２９または３０に記載の方法。
【発明の詳細な説明】
【技術分野】
【０００１】
［発明の分野］
本発明は、概して、研削または切削機械用の駆動装置に関する。本発明は特に、限定はされないが、岩石または土層を研削または切削する車両の研削または切削ヘッド用の駆動装置に関する。
【背景技術】
【０００２】
［発明の背景］
掘削（例えば、床面、岩石側面のトリミングまたは平削り、溝堀り、及び一般的な建物基礎の細部施工）中に硬質土層及び岩石を切削、研削、及び破砕するための様々な機械が、当該技術分野において既知である。このような機械は、牽引式または従来の車輪付きの掘削機等の関節アームの自由端に取り外し可能に取り付けることができる。
【発明の開示】
【発明が解決しようとする課題】
【０００３】
従来の研削または切削ヘッドは通常、掘削機アームの工具とは別に取り付けられるモータを有し、歯車列を用いて、駆動装置から離れた連結アーム端の取り付け用ベース部材にボルト留めされたペデスタルまたはハウジングに回転可能に支持される砥石車に、トルクが伝達される。この構成は、作業中の研削ヘッドの位置決めをかなり制限する。
【０００４】
オーストラリア特許第７６２５８４号は、駆動装置を組み込んだ研削ヘッドを開示している。駆動装置をヘッドに組み込むことによって、取り付け時に駆動モータと研削ドラムとの間に歯車列を追加する必要がないため、駆動装置を有する研削ヘッドは融通性を改善させる。
【課題を解決するための手段】
【０００５】
本発明は、オーストラリア特許第７６２５８４号に開示されている発明の改良形態を提供する。
【０００６】
［発明の概要］
第１の態様では、本発明は、少なくとも１つの駆動軸を駆動可能であるように受け入れる駆動継手を有する本体と、本体を研削または切削機械の一部に取り付けるための取り付け台とを備え、駆動継手が上記駆動軸の一部と嵌合するように構成される研削または切削機械用の駆動装置を提供する。
【０００７】
継手は通常、上記駆動軸の部分を受け入れる凹部を有し、通常、上記駆動軸を締め付け固定するように構成される締め付け機構を備える。
【０００８】
本発明の具体的な一実施形態では、継手は、上記駆動軸が固定される位置を調整可能であるように構成される。この場合、上記駆動軸のうち本体から延び得る部分の長さを調整可能である。例えば、上記駆動軸は、切削刃または研削ドラムを担持することができ、この場合、駆動装置は、駆動装置の本体に対する上記切削刃または研削ドラムの位置決めに融通性を与えるという利点を有する。
【０００９】
本発明の具体的な一実施形態では、駆動装置は、２つの対向する側面部分を有し、使用時に、少なくとも１つの切削刃または研削ドラムをいずれの側面部分からも離間させて少なくとも１つの駆動軸を担持することができる。例えば、駆動装置は使用時に、駆動装置の両側に１つずつ１対の切削刃を担持していてもよく、このような「２枚刃」駆動装置を用いて溝を形成してもよい。この場合、両方の切削刃が岩石または硬質土に平行な切れ目を切削することができ、切れ目間の土または岩石を溝から除去することができる。従来の１枚刃を用いると、第１の切れ目を切削してから駆動装置を刃と共に移動させて第２の切れ目を切削し、続いて切れ目間の岩石または硬質土を除去して溝を形成することが通常は必要である。「２枚刃」構成は、この手順を大幅に単純化する。両方の切れ目が同時に形成されるため、第２の切れ目を切削するために駆動装置を刃と共に移動させる必要がない。さらに、切れ目の長さの一部のみが形成された直後に、切れ目間の硬質土または岩石の除去を開始して溝の形成を開始することが可能であり、これも大きな実用上の利点を有する。さらに、刃同士の相対位置を調整可能であれば、溝の幅を調整可能であり、これはさらなる実用上の利点である。代替的に、このような駆動装置は、２つ以上の切れ目を同時に切削することができるため、砂岩等の岩石または石を経済的な方法で切削するように構成することができる。
【００１０】
取り付け台は、通常、駆動装置を土または岩石の切削または研削車両の連結アーム等の連結アームに取り付けるように構成される。
【００１１】
通常、凹部は、２つの孔を有する細長い中空部分である。この中空部分は、本体内に延びることができ、直線状部分とすることができる。代替的に、継手は、それぞれが１つの駆動軸を受け入れるように構成されると共に位置合わせされ得る２つの中空部分を備えることができる。いずれの場合も、切削または研削用の刃またはドラムを担持し得る少なくとも２つの駆動軸を、駆動装置に嵌めることができる。例えば、駆動軸は、２枚切削刃または研削ドラム駆動ヘッドが形成されるように、駆動装置の両側から嵌めてもよい。駆動軸は、３つ以上の切削刃または研削ドラムを有する研削または切削ヘッドを形成することができるように、複数の切削刃または研削ドラムを備えることもできる。凹部が本体内に延びている場合、駆動軸がその両端で１つまたは複数の切削刃または研削ドラムを担持できるように、１つの駆動軸を凹部によって受け入れることができる。
【００１２】
駆動装置は、上記駆動軸を備えることができ、本発明の具体的な一実施形態では、駆動装置は、軸線に沿って延びる中空軸部分を有する第１の駆動軸を備える。この実施形態では、中空軸部分は、第１の駆動軸内に固定するために少なくとも１つの第２の駆動軸を受けいれるように構成される。第１の駆動軸及び上記第２の駆動軸はそれぞれ、例えば端部分で少なくとも１つの刃またはドラムを担持するように構成することができる。
【００１３】
第１の駆動軸は、使用時に駆動継手の上記中空部分内に位置決めすることができ、上記第２の駆動軸は、使用時に第１の駆動軸の中空軸部分内に位置決めすることができる。例えば上記第１の駆動軸の中空軸部分は、２つの端を有してもよく、２つの第２の駆動軸を両端から１つずつ第１の駆動軸によって受け入れ可能であり得る。一実施形態では、１つの第２の駆動軸が、使用時に本体の片側から延びる。代替的にまたはこれに加えて、さらなる第２の駆動軸が、使用時に本体の反対側から延びてもよい。
【００１４】
例えば少なくとも１つの刃またはドラムを担持する１つの駆動軸が、使用時に、駆動装置に対する上記刃またはドラムの位置を調整するように構成され得る駆動継手内に固定され得る。代替的に、２つの駆動軸が、使用時に駆動継手内に同じ側または対向する側から固定されてもよく、駆動継手は、刃またはドラムの少なくとも２つの互いに対する位置を調整するように構成され得る。
【００１５】
第２の駆動軸も、さらなる切削刃または研削ドラムを担持し得る少なくとも１つのさらなる駆動軸を受け入れるように構成される中空部分を有することができる。
【００１６】
具体的な一実施形態では、継手は、本体に嵌められると共に駆動軸を内部に固定することができるように収縮可能な開口を有するシュリンクディスクを備える。シュリンクディスクは、上記駆動軸を比較的交換及び／または調整しやすいという特別な利点を有する。
【００１７】
シュリンクディスクは通常、少なくとも１つの第２の駆動軸が使用時に第１の駆動軸内に締め付けられて、シュリンクディスクが第１の駆動軸を継手内に固定するように構成さえる。代替的に、上記第２の駆動軸は、ボルト、副木、またはキー溝を用いて第１の駆動軸内に固定してもよい。
【００１８】
継手は、軸を固定位置に固定する別の手段を備えることもできる。例えば、継手は、駆動軸を調整可能であるように駆動軸を固定するシュリンクディスクを備えることができ、さらなる駆動軸を固定位置に固定する他方の手段を備えることもできる。通常、シュリンクディスク及び固定する手段は、駆動継手の中空部分の両端に位置決めされる。例えば、他方の手段は、上記駆動軸を所定位置に保持するためのフランジ及びボルト等を備えることができる。
【００１９】
代替的に、駆動装置は、シュリンクディスクを備えていなくてもよく、駆動装置に対する上記駆動軸の位置は、調整可能でなくてもよい。この場合、上記駆動軸は、例えばフランジ及びボルト等のみによって駆動装置に結合することができる。例えば、１つの駆動軸は、使用時に駆動装置の凹部内に位置決めされて、駆動装置の両側にあるフランジが駆動軸をその位置で保持するように構成されてもよい。フランジは通常、切削刃または研削ドラムを担持するように構成される。
【００２０】
駆動装置は、電気モータを備えることができる。代替的に、駆動装置は、油圧駆動手段を備えることができる。
【００２１】
具体的な一実施形態では、駆動装置は、本体の両側に１つずつ２つの切削刃または研削ドラムを備える。
【００２２】
本発明の具体的な一実施形態では、本体は、第１の本体であり、第１の側面部分及び反対側の第２の側面部分を有する。この構成では、上記駆動軸は、第１の側面部分から離間して少なくとも１つの切削刃または研削ドラムを担持するように構成され、第２の本体を、第２の側面部分に取り付け可能である。上記駆動軸は通常、第２の本体が取り付けられていない場合、少なくとも１つの切削刃または研削ドラムを第２の側面部分から離間して担持することができるように構成される。第２の本体は通常、土または岩石の切削または研削車両の連結アーム等の連結アームに取り付けるように通常は構成される第２の取り付け台を備える。
【００２３】
第２の本体が第１の本体に取り付けられている場合、ユーザは、駆動装置を連結アーム等の機械の一部に取り付けるのにどちらの取り付け台を用いるかを選択することができる。例えば、取り付けに用いる取り付け台を選択することによって、ユーザは、機械に対する上記切削刃または研削ドラムの研削または切削位置を選択することが可能となり、これはさらなる融通性を与える。
【００２４】
第２の態様によれば、本発明は、本発明の第１の態様による駆動装置を備える研削または切削機械を提供する。
【００２５】
本発明の第２の態様の具体的な一実施形態では、駆動装置は、使用時に、研削または切削機械の本体から連結アームが延びる方向を横切る方向に上記駆動軸が延びるように、連結アームに取り付けられる。
【００２６】
本発明の第１の態様及び第２の態様では、研削または切削機械は車両である。
【００２７】
第３の態様では、本発明は先行の請求項のいずれか一項に記載の駆動装置を用いる岩石または硬質土を切削または研削する方法を提供する。
【００２８】
第４の態様では、本発明は、
少なくとも２つの切れ目を硬質土または岩石に同時に切削し、切れ目の少なくとも一部が完成した後で、
切れ目の完成した部分間の硬質岩石または土を除去する
ことを特徴とする、所定の長さを有する溝を硬質岩石または土に形成する方法を提供する。
【００２９】
少なくとも２つの切れ目は、互いに平行である。硬質土または岩石の少なくとも一部は、切れ目の切削中に切れ目の完成した部分間から除去される。
【００３０】
本発明は、本発明の以下の具体的な実施形態の説明からより詳細に理解されるであろう。説明は添付図面を参照して行われる。
【発明を実施するための最良の形態】
【００３１】
［具体的な実施形態の詳細な説明］
最初に図１を参照して、具体的な一実施形態による研削または切削機械用の駆動装置をここで説明する。図１は、本体（本体１１の一部を図１に示す）及び継手１２を有する駆動装置１０を示す。この実施形態では、継手１２は、駆動装置１０内全体に延びる凹部１３を有する。駆動継手１２は、駆動軸（図示せず）を凹部１３内に受け入れるように構成される。駆動装置はさらに、駆動軸を継手１２内に固定するように構成されるシュリンクディスク１４も備えている。シュリンクディスクは、ボルト１５を締めると直径が縮まる開口を有している。シュリンクディスク１４は、ゴム状材料を含み、これは、ボルト１５を締めるとディスク１４Ａと１４Ｂとの間で締め付けられることで凹部１３の中心軸の方に向かって延びるため、駆動軸が凹部１３内に位置決めされている場合は駆動軸が締め付けられるようになる。
【００３２】
この実施形態の一変形形態では、駆動装置１０はシュリンクディスクを備えていなくてもよく、ナット及びボルト及び／またはフランジ等の他の手段を用いて軸を固定してもよいことを理解されたい。
【００３３】
この実施形態では、駆動軸は、駆動軸の長さに沿って様々な位置で締め付けることができるため、駆動軸を駆動装置１０に対して調整可能である。例えば、駆動軸は、研削ドラムまたは切削刃を担持することができる。駆動装置１０は、駆動装置１０を車両等の土または岩石の切削または研削機械の連結アームに取り付けるための取り付け台（図示せず）も備える。さらに、本体１１は、外側ハウジング部分（他の構成部品の図示を容易にするために図１には示さない）を有する。
【００３４】
この実施形態のさらなる変形形態では、駆動軸の位置は駆動装置に対して調整可能でなくてもよいことを理解されたい。
【００３５】
この実施形態では、駆動装置１０は、油圧モータを備え、油圧油を受け入れる孔１６及び油圧油の出口として機能する孔１８を有する。しかしながら、この実施形態の一変形形態では、駆動装置１０は電気モータを備えることもできることを理解されたい。
【００３６】
図２は、駆動装置を車両等の土または岩石の切削または研削機械の連結アームに取り付けるための取り付け台１９を有する駆動装置１０を示す。図２は、切削刃または研削ドラム（図示せず）を受け入れるための取り付けフランジ２１及び２３も示す。図２では、本体１１の外側ハウジング部分１３も示されている。ハウジング部分１３は、この実施形態では、壁部分１３ａ及び１３ｂを有する円筒形である（部分１３ｂの反対側の壁部分は、本体１１によって形成される）。
【００３７】
図３は、本発明のさらなる実施形態による駆動装置を示す。この実施形態では、駆動装置は、シュリンクディスクを有しない本体１１ａを備えている。軸２５は、フランジ２１及び２３を受け入れる２つのねじ端を有し、フランジ２１及び２３によって本体１１ａ内に保持される。フランジ２１及び２３は、切削刃または研削ドラムを受け入れるように構成される。
【００３８】
図４Ａ及び図４Ｂは、本発明の他の実施形態による駆動軸を示す。図４Ａは、切削刃２４を担持する駆動軸２０を示す。この実施形態では、駆動軸２０は中空であり、さらなる刃２４を担持するさらなる駆動軸２２を受け入れるように構成される。駆動軸２０は、継手１２の凹部１３内に受け入れられるように構成される。駆動軸２２は、駆動軸２０内に固定可能である。この実施形態では、駆動軸２２及び２０は、互いに対して調整可能であるため、刃２４同士の位置を調整することができる。この実施形態では、これらの軸は、２つの刃２４が図１または図２に示す駆動装置１０の同じ側に位置決めされるように構成される。
【００３９】
図４Ｂは、駆動軸のさらなる構成を示す。この実施形態では、駆動軸２０は、刃２２がこの構成の両端に位置決めされるように駆動軸２２を受け入れる。図４Ａ及び図４Ｂに示す軸及び刃の構成を用いて、駆動装置１０を有する２枚刃式切削ヘッドを形成することができる。図４Ａに示す実施形態では、２つの刃は、駆動装置１０の片側に位置決めされる。駆動装置に対する２つの刃の位置は、駆動継手１２に対する外側軸２０の位置を調整することによって調整することができる。図４Ｂに示す構成を用いて、駆動装置１０の両側に１つずつ刃を有する２枚式切削ヘッドを形成することができる。この場合も、駆動装置１０に対する２つの刃の相対位置は、継手１２内の外側軸２０の位置を調整することによって調整することができる。
【００４０】
図５は、本発明の別の実施形態による駆動装置を示す。駆動装置の継手２３には、切削刃２５を担持する駆動軸２１が嵌められている。この実施形態では、駆動軸２１は、ねじ２９を備え、一対のナット２７によって固定される。
【００４１】
図６は、本発明のさらなる実施形態を示す。この場合、中空の外側軸２０が２つの内側軸２２を両側から受け入れている。各内側軸２２は切削刃２４を担持する。内側軸２２は、外側軸２０内に固定され、駆動装置１０に対する刃の位置は、シュリンクディスク１４内で外側軸２０を調整することによって調整可能である。
【００４２】
この実施形態の一変形形態では、軸２２は中空軸２０を用いずに駆動装置１０に直接挿入されてもよいことを理解されたい。この場合、互い及び駆動装置本体に対する軸の位置は、調整可能であってもなくてもよい。
【００４３】
図１及び図６に示す実施形態では、シュリンクディスク１４は、外側の駆動軸２０を締め付けて、駆動軸２０がさらに内側の駆動軸２２それぞれを締め付けるように構成される。代替的に、内側軸２２は、ボルト、副木、またはキー溝を用いて外側のそれぞれの駆動軸２０内に固定することもできる。
【００４４】
図７Ａは、駆動装置１０に類似しているが、切削または研削車両の連結アームに連結されるフレームを備えた駆動装置３０を示す。この実施形態では、刃２４を有する駆動装置３０は、比較的細く、取り付け台３２の幅に近い幅を有する。
【００４５】
図７Ｂは、本発明の別の実施形態を示す。図７Ｂに示す実施形態は、図４Ａに示す実施形態に関連する。しかしながら、この場合、軸２０は２つの刃２４を備え、駆動装置１０の継手１４によって固定される。さらに、この機械は、中空軸２０内に固定されると共にそれぞれが刃２４を備える２つの軸２２を備える。駆動装置１０に対する４つの刃の相対位置は、継手１４内の軸の位置を調整することによって調整可能である。したがって、この構成は、調整可能な４枚刃切削ヘッドを形成する。
【００４６】
しかしながら、本発明は特定の数の軸または切削刃に限定されないことが理解されるであろう。図７Ａ及び図７Ｂに示す実施形態の原理に従って、複数の軸を嵌合させてもよく、ヘッドは複数の切削刃を備えてもよい。さらに、各軸は、２つ以上の切削刃を担持してもよい。さらに、本発明は切削刃に限定されない。例えば、代替的に、軸が研削ドラムを担持してもよい。
【００４７】
図８は、本発明のさらなる具体的な実施形態による駆動装置を示す。この実施形態では、駆動装置６０は、切削刃２４を有する駆動軸２０を備える。駆動装置６０のハウジング１３を有する本体１１ａは、車両（図示せず）の連結アームに取り付けるための取り付け台１９を有する。この実施形態では、本体１１ａのハウジング１３は、２つの対向する側面部分６４及び６６を有する。刃２４は、フランジ２１によって第１の側面部分６４で駆動軸２０に取り付けられる。駆動装置６０は、この実施形態では、第２の本体６８を第２の側面部分６６に取り付けることができるように構成される。第２の本体６８も、車両の連結アームに取り付けるための取り付け台７０を備える。
【００４８】
駆動装置６０は、第２の本体６８が側面部分６６に取り付けられていない場合、切削刃７２（または研削ドラム）を第２の側面部分６６でフランジ２３によって駆動軸２０に取り付け可能であるように構成される。
【００４９】
第２の本体６６が第１の本体１１に取り付けられている場合、ユーザは、駆動装置６０を車両の連結アームに取り付けるのに取り付け台１９及び７０のどちらを用いるかを選択することができる。例えば、取り付け台７０が取り付けに用いられる場合、刃２４が車両の片側にオフセットする。代替的に、取り付け台１９が駆動装置６０の取り付けに用いられる場合、駆動装置６０をより中心寄りの場所に位置決めすることができる。したがって、駆動装置６０は、さらなる融通性を与える。
【００５０】
第２の本体６８は、凹部７４と、凹状フランジを形成する側面部分７６とを有する。側面部分７４は、第２の本体６８を第１の本体１１ａに結合する際に用いるボルト用の開口を有する。フランジが凹状であるため、駆動装置６０は、外側フランジによって駆動装置６０の切削または研削深さが制限されないという利点を有する。
【００５１】
図８に示す実施形態の変形形態では、少なくとも１つの研削ドラムを本体１１のいずれの側面部分でも駆動軸２０に取り付け可能であり得ることを理解されたい。さらに、駆動装置６０は、任意数の切削刃または研削ドラムをいずれの側面部分にも取り付けるように構成することができる。
【００５２】
本発明は、特定の例を参照して説明してきたが、本発明を多くの他の形態で具現することができることは、当業者には理解されるであろう。さらに、駆動装置は、凹部を備えなくてもよく、代替的に、駆動軸の中空部分を嵌めることができる突出部を備えていてもよい。さらに、駆動装置は、マルチ駆動切削ヘッドまたは研削ヘッドを形成する２つ以上の駆動装置の１つであってもよい。
【００５３】
さらに、オーストラリア特許第７６２５８４号に対する参照は、この特許がオーストラリアまたは諸外国において共通の一般知識の一部であると認めるものではない。
【図面の簡単な説明】
【００５４】
【図１】本発明の具体的な一実施形態による駆動装置の概略斜視図を示す。
【図２】本発明の別の具体的な実施形態による駆動装置の概略斜視図を示す。
【図３】本発明のさらなる実施形態による駆動装置の側面図を示す。
【図４Ａ】本発明のさらなる具体的な実施形態による駆動軸の断面図を示す。
【図４Ｂ】本発明のさらなる具体的な実施形態による駆動軸の断面図を示す。
【図５】本発明の別の具体的な実施形態による駆動装置を示す図である。
【図６】本発明のさらに別の具体的な実施形態による駆動軸の断面図を示す。
【図７Ａ】本発明のさらなる具体的な実施形態による駆動装置を示す図である。
【図７Ｂ】本発明のさらなる具体的な実施形態による駆動装置を示す図である。
【図８】本発明の別の具体的な実施形態による駆動装置を示す図である。
【図１】
2008506870.tif 000003
【図２】
2008506870.tif 000004
【図３】
2008506870.tif 000005
【図４Ａ】
2008506870.tif 000006
【図４Ｂ】
2008506870.tif 000007
【図５】
2008506870.tif 000008
【図６】
2008506870.tif 000009
【図７Ａ】
2008506870.tif 000010
【図７Ｂ】
2008506870.tif 000011
【図８】
2008506870.tif 000012
【国際調査報告】
2008506870.tif 000013
2008506870.tif 000014
2008506870.tif 000015
2008506870.tif 000016